(57)【要約】      （修正有）【課題】小容量変圧器を含めた変圧器全般について、変圧器の劣化状況を連続的に表示することが可能な変圧器劣化状況表示装置を提供する。【解決手段】設置場所温度と運転負荷率が中間の条件における重合度低下勾配を基準勾配Ｋｃとし、被診断変圧器の重合度低下勾配Ｋが基準勾配Ｋｃに勾配補正係数Ｒを乗ずる方法をとり、勾配補正係数Ｒの値を、設置場所温度差Ｔｄ（被診断変圧器設置場所温度と基準温度との差）と絶縁紙温度差Ｔｚｓ（被診断変圧器運転負荷率における絶縁紙温度と基準負荷率における絶縁紙温度との差）によるＲ＝１／ＥＸＰ（−Ｈ（Ｔｄ＋Ｔｚｓ））で算出するものとし、絶縁紙温度差Ｔｚｓは、勾配補正係数Ｒの値が０．４〜２．５の範囲になるような運転負荷率Ｕに関する回帰式で求め、これによる勾配補正係数Ｒを基準負荷率に乗じた実勾配Ｋにて重合度が低下していく状況をグラフ表示する。【選択図】図２
2018151365.tif 000002
【特許請求の範囲】
【請求項１】
被診断変圧器設置場所の温度Ｔａを取得する手段と、前記設置場所温度Ｔａと基準温度Ｔｃ（１１〜１３℃のうちのいずれか一つ）との設置場所温度差Ｔｄを算出する手段と、被診断変圧器の運転電流Ｉを取得する手段と、前記運転電流Ｉより運転負荷率Ｕを算出する手段と、被診断変圧器の運転負荷率Ｕにおける絶縁紙の上昇温度Ｔｚと基準負荷率Ｕｃ（３５〜４０％のうちのいずれか一つ）における絶縁紙の上昇温度Ｔｚｃとの絶縁紙温度差Ｔｚｓを算出する手段と、基準使用条件（変圧器設置場所の温度が前記基準温度Ｔｃ、運転負荷率が前記基準負荷率Ｕｃ）で一定して連続運転されるとした変圧器の絶縁紙の平均重合度（以下重合度と省略表記）が、変圧器運転開始時の重合度（８００〜１０００のうちのいずれか一つ）から２０／年〜３０／年のうちのいずれか一つの勾配で低下する直線の勾配を基準勾配Ｋｃとし、運転条件が変化する被診断変圧器においては、重合度が前記基準勾配Ｋｃに運転条件に関連して算出される勾配補正係数Ｒを乗じた実勾配Ｋにて低下するとした重合度推移決定手段と、前記勾配補正係数Ｒを、前記変圧器設置場所温度差Ｔｄと前記絶縁紙温度差Ｔｚｓに関連する計算式Ｒ＝１／ｅｘｐ（―Ｈ（Ｔｄ＋Ｔｚｓ））により（ここにＨは０．０６９３〜０．１１５５のうちの一つ）算出する手段と、前記計算式中の絶縁紙温度差Ｔｚｓを、前記設置場所温度差Ｔｄの温度幅が８℃（前記基準温度を中心に−４〜＋４℃）で前記運転負荷率Ｕの範囲が４０％（基準負荷率を中心に−２０〜＋２０％）の場合に前記勾配補正係数Ｒの値が０．４〜２．５の範囲内となるような運転負荷率に関する関係式Ｔｚｓ＝Ｆ（Ｕ）によって算出し、算出した絶縁紙温度差Ｔｚｓを前記勾配補正係数Ｒの算出式に代入して勾配補正係数Ｒを算出する手段と、算出した前記勾配補正係数Ｒを前記基準勾配Ｋｃに乗じて実勾配Ｋを算出する手段と、前記実勾配Ｋによって逐次低下する重合度の時間別重合度を算出して記憶部の時間別重合度記憶部に時刻毎に格納する手段と、前記時間別重合度の日毎最終値を記憶部の期日別重合度記憶部に期日毎に格納する手段と、前記時間別重合度記憶部から読み出した複数時刻の重合度と前記期日別重合度記憶部から読み出した複数日の重合度を用いる等の方法で現時刻以後の未来分重合度推移予想勾配を算出する手段と、入力部より入力した試算条件（変圧器の試算用設置場所温度と試算用運転負荷率）により現時刻以後の未来分重合度推移試算勾配を算出する手段と、前記期日別重合度記憶部及び前記時間別重合度記憶部から読み出した被診断変圧器の使用開始から現時刻までの重合度推移と前記現時刻以後の未来分重合度推移予想勾配に沿った重合度予想推移及び前記未来分重合度推移試算勾配に沿った現時刻以後の重合度試算推移を、被診断変圧器の使用開始から数１０年までの長期重合度推移グラフに表示する手段もしくは、前記長期重合度推移グラフと現時点を基点とした数日前後の短期重合度推移グラフとを同時表示または交互表示する手段、を備えたことを特徴とする変圧器劣化状況表示装置。
【発明の詳細な説明】
【技術分野】
【０００１】  本発明は、変圧器の劣化状況を変圧器巻線間等に装着される絶縁紙（以下絶縁紙と省略表記）の平均重合度（以下重合度と省略表記）の低下推移で表示する技術に関する。
【背景技術】
【０００２】  絶縁紙の重合度低下状況によって余寿命を推定し、変圧器の寿命に至る前に変圧器を更新し劣化による事故を防止することが進められている。【０００３】  絶縁紙劣化状況を調べる手段として、変圧器停電時に絶縁紙の一部を取り出して重合度を測定する公知の方法や、運転状態のままで重合度を推定する下記文献１及び文献２等の方法がとられている。
【特許文献１】特許第４３２３２９６号
【特許文献２】特許第５３８７８７７号
【発明の概要】
【発明が解決しようとする課題】
【０００４】  絶縁紙の一部を取り出して重合度を測定する公知の方法は定期点検時にしか実施できず、変圧器運転再開後に変圧器使用条件の急激な悪化があった場合でも次の定期点検までは確認できないため重合度の加速的な低下兆候を見逃すこととなり、変圧器使用条件改善等の事故防止対策が遅れてしまうという欠点が有った。【０００５】  変圧器運転時でも重合度を把握することができる特許文献１の方法は、被診断変圧器の負荷履歴と気象情報と点検時に測定した絶縁油温度とによる絶縁紙温度の推定熱履歴を、撤去変圧器絶縁紙の重合度測定値等より作成した絶縁紙の熱履歴と重合度の関係を示すマスターカーブと突き合わせて余寿命を求める方法をとっている。【０００６】  変圧器運転時でも重合度を把握することができる別の方法である特許文献２の方法は、被診断変圧器の定期点検時等に採取した絶縁油に含まれるＣＯ、ＣＯ２、フルフラール等の劣化指標成分量と被診断変圧器の稼働年数、負荷率等の運転環境データを基にして重合度を推定し余寿命を求める方法をとっている。【０００７】  しかしながら、前記特許文献１や特許文献２の方法は、絶縁紙や絶縁油からの絶縁劣化指標データ取得がなされる特定の変圧器に対する評価法であり、絶縁劣化指標データを取得しない変圧器には適用できないことと、点検時毎の断続的な評価法であることから、点検後に変圧器使用条件の急激な悪化があった場合の重合度の加速的低下兆候を見逃すこととなり、事故防止対策を適時に実施できないという欠点が有った。【０００８】  本発明はこのような事情に鑑みてなされたもので、絶縁劣化指標の取得がなされないことが多い小容量の変圧器も含めた変圧器全般にわたり、変圧器の使用開始から現在までの重合度低下状況を連続的に示すことで、変圧器運転条件の急激な変化による重合度低下兆候も見逃さず監視することを可能にし、変圧器運転条件の改善を適時に行えるようにすることを目的とする。
【課題を解決するための手段】
【０００９】  前記目的を達成するために、請求項１に記載の方法は、日本国内で使用されている変圧器は国内規格（ＪＥＣ−２２００、ＪＩＳＣ４３０４）に準拠して設計・製造されるものであり、使用する絶縁紙の材質や運転負荷率に対する変圧器の温度上昇値がほぼ同じとみなされることに着目し、日本国内で使用される変圧器の重合度経時低下経緯が日本国内で公表されている重合度経時低下グラフ群の最小勾配経路と最大勾配経路の範囲内を推移するとみなせるとの見地を基に、変圧器が最良の運転条件（変圧器設置場所の温度が日本国内の低気温地域の年間平均気温で変圧器の運転負荷率が日本国内における運転負荷率分布の最低負荷率）にて連続運転されるとした変圧器の重合度が前記重合度経時低下グラフ群中の最小勾配直線に沿って低下し、変圧器が最悪の運転条件（変圧器設置場所の温度が日本国内の高気温地域の年間平均気温で変圧器の運転負荷率が日本国内における運転負荷率分布の最高負荷率）にて連続運転されるとした変圧器の重合度が前記重合度経時低下グラフ群中の最大勾配直線に沿って低下し、変圧器が前記最良と最悪の中間の運転条件（変圧器設置場所の温度が前記低気温地域の年間平均気温と前記高気温地域の年間平均気温の中間の温度（以下基準温度Ｔｃ）で、運転負荷率が前記運転負荷率分布の平均負荷率（以下基準負荷率Ｕｃ））で連続運転されるとした変圧器の重合度が前記最小勾配経路と最大勾配経路の中間の勾配の直線に沿って低下し、運転条件が変化する被診断変圧器の重合度は、前記最小勾配直線と最大勾配直線の間を推移するとの重合度低下領域を設定し、被診断変圧器設置場所の温度Ｔａを取得する手段と、前記設置場所温度Ｔａと前記基準温度Ｔｃ（１１〜１３℃のうちのいずれか一つ）との設置場所温度差Ｔｄを算出する手段と、被診断変圧器の運転電流Ｉを取得する手段と、前記運転電流Ｉより運転負荷率Ｕを算出する手段と、被診断変圧器の運転負荷率Ｕにおける絶縁紙の上昇温度Ｔｚと前記基準負荷率Ｕｃ（３５〜４０％のうちのいずれか一つ）による絶縁紙の上昇温度Ｔｚｃとの絶縁紙温度差Ｔｚｓを算出する手段と、基準使用条件（変圧器設置場所の温度が前記基準温度Ｔｃ、運転負荷率が前記基準負荷率Ｕｃ）で一定して連続運転されるとした変圧器の重合度が、変圧器運転開始時の重合度（８００〜１０００のうちのいずれか一つ）から２０／年〜３０／年のうちのいずれか一つの勾配で低下するとした前記中間の運転条件における重合度低下直線の勾配を基準勾配Ｋｃとし、被診断変圧器においては、重合度が前記基準勾配Ｋｃに勾配補正係数Ｒを乗じた実勾配Ｋにて低下するとした重合度低下推移決定手段と、前記勾配補正係数Ｒを、前記変圧器設置場所温度差Ｔｄと前記絶縁紙温度差Ｔｚｓに関連する計算式
Ｒ＝１／ｅｘｐ（―Ｈ（Ｔｄ＋Ｔｚｓ））・・・・・（式１）
（ただし、Ｈは０．０６９３〜０．１１５５のうちのいずれか一つ）
により算出する手段と、（式１）中の絶縁紙温度差Ｔｚｓを、前記設置場所温度差Ｔｄの温度幅が８℃（前記基準温度を中心に−４〜＋４℃）で前記運転負荷率Ｕの範囲が４０％（基準負荷率を中心に−２０〜＋２０％）の場合に前記勾配補正係数Ｒの値が０．４〜２．５となるような運転負荷率Ｕに関連する関係式
Ｔｓ＝Ｆ（Ｕ）・・・・・（式２）
によって算出して前記（式１）に代入し前記勾配補正係数Ｒを算出する手段と、算出した前記勾配補正係数Ｒを前記基準勾配Ｋｃに乗じて実勾配Ｋを算出する手段と、前記実勾配Ｋによって逐次低下する重合度の時間別重合度を算出して記憶部の時間別重合度記憶部に時刻毎に格納する手段と、前記時間別重合度の日毎最終値を記憶部の期日別重合度記憶部に期日毎に格納する手段と、前記時間別重合度記憶部から読み出した複数時刻の重合度と前記期日別重合度記憶部から読み出した複数日の重合度を用いて現時刻以後の未来分重合度推移予想勾配を算出する手段と、入力部より入力した試算条件（変圧器の試算用設置場所温度と試算用運転負荷率）により現時刻以後の未来分重合度推移試算勾配を算出する手段と、前記期日別重合度記憶部及び前記時間別重合度記憶部から読み出した被診断変圧器の使用開始から現時刻までの重合度推移と前記現時刻以後の未来分重合度推移予想勾配に沿った現時刻以後の予想重合度推移と前記未来分重合度推移試算勾配に沿った現時刻以後の試算重合度推移を、被診断変圧器の使用開始から数１０年までの長期重合度推移グラフに表示する手段もしくは、前記長期重合度推移グラフと、現時点を基点とした数日前後の短期重合度推移グラフとを同時表示または交互表示する手段、を備えたことを特徴とする。
【発明の効果】
【００１０】  本発明の方法によれば、日本国内で使用される変圧器全般にわたり、変圧器の使用開始から現在までの重合度劣化状況を連続的に示すことで使用条件の急激な悪化による重合度の加速的低下状況を見逃すこと無く重合度低下経緯と変圧器運転条件の良否評価を常時行うことが可能となり、変圧器運転条件の改善を適時に行って変圧器劣化に起因する事故発生の未然防止ができる。
【図面の簡単な説明】
【００１１】
【図１】  本発明における重合度の低下領域と基準勾配を示すグラフである。
【図２】  本発明による変圧器劣化表示装置の長期重合度推移表示グラフである。
【図３】  本発明による変圧器劣化表示装置の短期重合度推移表示グラフである。
【図４】  本発明による変圧器劣化表示装置の長期短期重合度推移複合表示グラフである。
【図５】  本発明の実施例による変圧器劣化表示装置の構成を示す構成図である。
【図６】  本発明の実施例による変圧器劣化表示装置の処理過程を示すフロー図である。
【図７】  ＪＥＭ１４６３に記載の運転年数と平均重合度の関係を示すグラフである。
【図８】  変圧器メーカ技術資料記載に記載の運転年数と平均重合度の関係を示すグラフである。
【図９】  日本電機工業会にて公表されている変圧器負荷率の業種別調査表である。
【発明を実施するための最良の形態】
【００１２】  以下、添付図面に従って本発明に係る変圧器選定を実施するための最良の形態について詳説する。【００１３】  図１は、変圧器絶縁紙重合度の経時的低下推移グラフとして日本国内で公表されている図７及び図８を基にして、本発明に係る前記重合度の低下領域と基準勾配を示したもので、直線１ａを前記重合度低下推移グラフのうち最小勾配を表示している図７の重合度上限側の直線（運転開始時の重合度が９００で、低下勾配が１２．５／年）とし、直線１ｂを前記重合度低下推移グラフのうち最大勾配を表示している図８の重合度下限側の直線（運転開始時の重合度が９００で、低下勾配が５０／年）とし、直線１ｃを、前記最小勾配直線１ａと最大勾配直線１ｂの中間の直線（運転開始時の重合度が９００で、低下勾配が前記基準勾配Ｋ（２５／年））として示している。【００１４】  変圧器設置場所温度Ｔａの範囲については、気象庁公表データによる過去４０年間の年間平均気温から、最低温度を北海道地区における８℃、最高温度を九州地区における１６℃とし、変圧器運転負荷率Ｕの範囲については、図９に示す変圧器負荷率の産業別調査表に１日当たりとして記載されている負荷率２９０例を引用し、前記負荷率の分布が正規分布であるとして算出した標準偏差値σ＝８．９３％と平均値３７．３％より、最低負荷率を１９．５％（３７．３−２σ）、最高負荷率側を５５．２％（３７．３＋２σ）としている。【００１５】  勾配補正係数Ｒの算出式である前記（式１）中のＨは、絶縁物の熱劣化に関するアレニウスの半減則によるもので、１０℃半減則の場合の０．０６９３〜６℃半減則の場合の０．１１５５までのいずれか一つであり、Ａ種絶縁材料への適合性が高いとされる８℃半減則（参考例：関東電気保安協会研究報告書概要版―自家用電気工作物における絶縁劣化統計と予防保全−第４章、劣化メカニズムの整理―絶縁材料の劣化要因―熱劣化。平成２２年１月）の場合のＨ＝０．０８６６４を採択した勾配補正係数
Ｒ＝１／ｅｘｐ（―０．０８６６４（Ｔｄ＋Ｔｚｓ））・・・・・（式３）
を適用している。【００１６】  前記（式１）〜（式３）の絶縁紙温度差Ｔｚｓは、以下の（式４）や（式５）に示す回帰式等が、前記変圧器設置場所の温度Ｔａと変圧器運転負荷率Ｕの採択範囲において前記勾配補正係数Ｒの範囲が０．４〜２．５となる条件を満たす例となる。
Ｔｚｓ＝Ａ（Ｕｘ−Ｕｃｘ）・・・・（式４）
（ただし、Ａは２０〜５０のうちのいずれかで、ｘは１〜３のうちのいずれか）
Ｔｚｓ＝Ｃ（α＋Ｕ２（１−α））−Ｄ・Ｕｙ−Ｃ（α＋Ｕｃ２（１−α））−Ｄ・Ｕｃｙ・・・・（式５）
（ただし、Ｃは３０〜７０のうちのいずれかで、αはケイ素鋼板鉄心変圧器の場合０．２５、アモルファス鉄心変圧器の場合０．０５で、Ｄはケイ素鋼板鉄心変圧器の場合１０〜３０のうちのいずれかで、アモルファス鉄心変圧器の場合３０〜７０のうちのいずれかで、ｙ  は２〜４）
実施例にあっては、勾配補正係数Ｒの範囲が０．５〜２になる
Ｔｚｓ＝２３（Ｕ１．２３−Ｕｃ１．２３）・・・・（式６）
を採択している。【００１７】  図２は、本発明による変圧器劣化状況の長期間表示グラフで、実線２１は被診断変圧器の使用開始時から現時刻までの重合度推移を示しており、現時刻の時間別重合度Ｊｈ２を、
Ｊｈ２＝Ｊｈ１―Δｈ  ・・・・（式７）
（ただし、Ｊｈ１は現時刻より１時間前の時間別重合度、Δｈは後述の（式８）に示す１時間前から現時刻までの重合度低下分）
Δｈ＝Ｋｃｊ×Ｒ  ・・・・（式８）
（ただし、Ｋｃｊは後述の（式９）に示す１時間あたりの基準勾配）
Ｋｃｊ＝２５／８７６０＝０．００２８５４  ・・・（式９）
によって算出し、算出した時間別重合度の日別最終値である期日別重合度を基にした期間代表重合度（例えば１０日毎最終値や月毎最終値等）による経緯で示している。【００１８】  破線２２は、現時刻以後の予想勾配Ｋｙによる重合度予想推移を示しており、予想勾配Ｋｙを現時刻における使用条件の影響を緩和する一例として当日や数日前の複数の勾配の平均とした
Ｋｙ＝（Ｋｒ１＋Ｋｒ２＋Ｋｒ３＋Ｋｒ４）／４  ・・・・（式１０）
としている。【００１９】  ２点鎖線２３は、試算条件（試算用設置場所温度差Ｔｄｔ、試算用負荷率Ｕｔ）による重合度試算推移で、試算用勾配補正係数Ｒｔを
Ｒｔ＝１／ｅｘｐ（―０．０８６６４（Ｔｄｔ＋Ｔｚｓｔ））・・・・・（式１１）
（ただしＴｚｓｔは、後述の（式１２）に示す試算条件による絶縁紙温度差）
Ｔｚｓｔ＝２３（Ｕｔ１．２３−Ｕｃ１．２３）  ・・・・（式１２）
として算出し、算出した試算用勾配補正係数Ｒｔを基準勾配Ｋに乗じた試算勾配Ｋｔによる現時刻以後の試算重合度推移として示している。【００２０】  鎖線１ｄ及び１ｅは、ＪＥＭ１４６３に示されている寿命レベル重合度と危険レベル重合度で、前記重合度予想推移や重合度試算推移に対する変圧器運転条件の良否評価に利用する。【００２１】  被診断変圧器が屋外に設置されている場合の日中の直射日光による加熱や夜間の大気への放射による絶縁紙温度への影響を考慮する場合は、輻射による絶縁紙温度影響分Ｔｒを１日平均では０となるようにモデル化した回帰式
Ｔｒ＝θ（ｓｉｎ（０．１３０９Ｈ）−０．６３６）・・・・（式１１）
（ただし、θは輻射による絶縁紙受放熱温度影響分の１日における変動幅（０〜８℃のうちのいずれか一つ）で、Ｈは時刻（１〜２４））
によって算出し、算出した輻射による絶縁紙受放熱分温度影響分Ｔｒを（式３）に挿入した
Ｒ＝１／ｅｘｐ（―０．０８６６４（Ｔｄ＋Ｔｚｓ＋Ｔｒ））・・・・・（式１２）
を、設置場所温度差と、変圧器運転電流による絶縁紙温度差に、輻射による絶縁紙温度影響分Ｔｒを加えた勾配補正係数とする。【００２２】  変圧器設置場所の温度を下げるために変圧器への外気通風を行う場合は、強制通風による絶縁紙温度影響分Ｔｋを、変圧器設置場所の温度と外気温度との温度差Ｔｇと風速Ｖ（変圧器全体を冷却するに十分な連続した風量がある場合の風速Ｖ）に関連する回帰式
Ｔｋ＝Ｔｇ・ｌｎ（Ｖ）／２．７  ・・・・（式１３）
（ただし、風速Ｖの単位はｍ／Ｖ）
などにより算出し、算出した強制通風絶縁紙温度影響分Ｔｋを（式３）に挿入した
Ｒ＝１／ｅｘｐ（―０．０８６６４（Ｔｄ＋Ｔｓ＋Ｔｒ＋Ｔｋ））・・・・・（式１３）
を、設置場所温度差と、変圧器運転電流による絶縁紙温度差と、輻射による温度影響に、強制通風による絶縁紙温度影響分Ｔｋを加えた勾配補正係数とする。【００２３】  既に運転中の変圧器の運転途中から劣化表示を行う場合は、運転開始から現時刻までの運転経歴（運転期間、被診断変圧器設置場所の運転期間平均温度、被診断変圧器の運転期間平均負荷率）を使用して、現時刻の時間別重合度を算出し、以後、図６における時間別重合度記憶部への格納や次なる時間別重合度演算の処理過程フローに入る。【００２４】  被診断変圧器について別の寿命診断方法による重合度や、過大電流通電経緯等による見直し重合度が示され、その値が妥当と判断される場合は、現時点の期日別重合度を見直し重合度に置き換え、以後、図６における時間別重合度記憶部への格納や次なる時間別重合度演算の処理過程フローに入る。【００２５】  図３は、本発明による変圧器劣化状況の短期間表示グラフで、前記（式７）に示した時間別重合度Ｊｈ２の現時刻分までを実線２１ｙ、前記重合度予想推移を破線２２ｔ、前記重合度試算推移を２点鎖線２３ｔで示している。【００２６】  図４は、前記図２と前記図３を複合して表示するグラフで、短期表示重合度低下経緯と長期表示重合度低下推移とを同時表示することで、現在の使用条件のままで使用する際の重合度の将来予測値を認識しやすくしている。なお、図４では図３を全体的に表示し、図２を縮小表示しているが、図２を全体的に表示し図３を縮小表示しても良いし、図２と図３を交互に表示しても良い。【００２７】  図５は、本発明の実施例による変圧器劣化表示装置の構成を示す構成図で、変圧器設置場所温度や運転
電流を収集するデータ収集部５１と、図示を省略した運転電流の実効値演算部を経て運転負荷率を算出する負荷率演算部５２Ｕと、時間別重合度演算部５２ａと未来分重合度演算部５２ｂを持つ演算処理部５２と、時間別重合度記憶部５３ａと期日別重合度記憶部５３ａを持つ記憶部５３と、重合度経緯グラフを作成するグラフ作成処理部５４と、重合度経緯グラフを表示する表示部５５と、被診断変圧器の定格電流や試算条件等を与える設定部５６と、期日や時刻等を与える制御部５７等により構成される。【００２８】  図６は、本発明における変圧器劣化表示装置の処理過程を示すフロー図で、被診断変圧器の設置場所温度や運転電流を取得するデータ取得部５１から、収集データを基に刻々低下する重合度を算出する時間別重合度算出部５２ａを経て、算出した時間別重合度の時間別重合度記憶部５３ａへの時刻毎格納、前記時間別重合度の当日値の期日別重合度記憶部５３ｂへの期日毎格納、前記時間別重合度記憶部５３ａや前記期日別重合度記憶部５３ｂから未来分重合度演算部５２ｂへの複数の時間別重合度や複数の期日別重合度の転送、重合度推移グラフ作成処理部５４を経て表示部５５までの処理フローを示している。【００２９】  図７は、ＪＥＭ１４６３−１９９３「変圧器用絶縁紙の平均重合度評価基準」解説図４に記載の運転年数と平均重合度の関係を示すグラフで、グラフ中に示されたデータ群包絡線のうち、重合度が高い側の実線を本発明における最良使用条件における重合度経緯に相当するものとしている。【００３０】  図８は、メーカ技術資料（平成９年１月、日立製作所テクニカルノート、変圧器編「油入変圧器の経年劣化について」に記載の運転年数と平均重合度の関係を示すグラフで、グラフ中に示された線のうち、最大勾配の直線を本発明における最悪使用条件における重合度経緯に相当するものとしている。【００３１】  図９は、日本国内で公表されている変圧器負荷率の業種別調査表（平成１４年４月、日本電機工業会、総合エネルギー調査会、変圧器判断基準小委員会調査結果）で、表中に１日あたりとして記載されている負荷率２９０データを本発明における重合度算出用負荷率範囲の設定に引用している。
【記号の説明】
【００３２】Ｔａ・・・被診断変圧器の設置場所温度
Ｔｃ・・・変圧器設置場所基準温度
Ｔｄ・・・変圧器設置場所温度差（被診断変圧器の設置場所温度と変圧器設置場所基準温度との温度差）
Ｔｄｔ・・・試算用変圧器設置場所温度
Ｔｚ・・・運転時の絶縁紙温度
Ｔｚｃ・・・基準負荷率における絶縁紙温度
Ｔｚｓ・・・運転時の絶縁紙温度と基準負荷率における絶縁紙温度との絶縁紙温度差
Ｔｚｓｔ・・・試算条件における絶縁紙温度差
Ｔｒ・・・輻射による絶縁紙受放熱分温度影響分
Ｔｋ・・・強制通風による絶縁紙温度影響分
θ  ・・・１日における輻射影響温度の変動幅
Ｈ  ・・・時刻（１〜２４）
Ｉ  ・・・被診断変圧器の運転電流
Ｕ  ・・・負荷率
Ｕｃ・・・基準負荷率
Ｕｔ・・・試算用負荷率
Ｋ  ・・・重合度低下実勾配
Ｋｃ・・・重合度低下基準勾配
Ｋｃｊ・・・時間当たり重合度低下基準勾配
Ｋｙ・・・重合度低下予想勾配
Ｋｔ・・・重合度低下試算勾配
Ｒ  ・・・勾配補正係数
Ｊｈ２・・・現時刻の重合度
Ｊｈ１・・・現時刻より１時間前の重合度
１ａ・・・最小勾配重合度低下配直線
１ｂ・・・最大勾配重合度低下直線
１ｃ・・・基準勾配重合度低下直線
１ｄ・・・ＪＥＭ１４６３に示されている寿命レベル重合度
１ｅ・・・ＪＥＭ１４６３に示されている危険レベル重合度
２１・・・現時刻までの重合度低下推移
２１ｙ・・・現時刻直前の短期重合度低下推移
２２・・・現時刻以後の重合度低下予想推移
２２ｔ・・・現時刻以後の重合度低下予想短期推移
２３・・・試算条件における現時刻以後の重合度低下推移
２３ｔ・・・試算条件における現時刻以後の重合度低下短期推移
５０・・・変圧器劣化状況表示装置
５１・・・データ取得部
５２・・・演算処理部
５２Ｕ・・・負荷率演算部
５２ａ・・・時間別重合度演算部
５２ｂ・・・未来分重合度演算部
５３・・・記憶部
５３ａ・・・時間別重合度記憶部
５３ｂ・・・期日別重合度記憶部
５４・・・グラフ作成処理部
５５・・・表示部
５６・・・設定部
５７・・・制御部
【図１】
2018151365.tif 000003
【図２】
2018151365.tif 000004
【図３】
2018151365.tif 000005
【図４】
2018151365.tif 000006
【図５】
2018151365.tif 000007
【図６】
2018151365.tif 000008
【図７】
2018151365.tif 000009
【図８】
2018151365.tif 000010
【図９】
2018151365.tif 000011
【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
被診断変圧器設置場所の温度Ｔａを取得する手段と、前記設置場所温度Ｔａと基準温度Ｔｃ（１１〜１３℃のうちのいずれか一つ）との設置場所温度差Ｔｄを算出する手段と、被診断変圧器の運転電流Ｉを取得する手段と、前記運転電流Ｉより運転負荷率Ｕを算出する手段と、被診断変圧器の運転負荷率Ｕにおける絶縁紙の上昇温度Ｔｚと基準負荷率Ｕｃ（３５〜４０％のうちのいずれか一つ）における絶縁紙の上昇温度Ｔｚｃとの絶縁紙温度差Ｔｚｓを算出する手段と、基準使用条件（変圧器設置場所の温度が前記基準温度Ｔｃ、運転負荷率が前記基準負荷率Ｕｃ）で一定して連続運転されるとした変圧器の絶縁紙の平均重合度（以下重合度と省略表記）が、変圧器運転開始時の重合度（８００〜１０００のうちのいずれか一つ）から２０／年〜３０／年のうちのいずれか一つの勾配で低下する直線の勾配を基準勾配Ｋｃとし、運転条件が変化する被診断変圧器においては、重合度が前記基準勾配Ｋｃに運転条件に関連して算出される勾配補正係数Ｒを乗じた実勾配Ｋにて低下するとした重合度推移決定手段と、前記勾配補正係数Ｒを、前記変圧器設置場所温度差Ｔｄと前記絶縁紙温度差Ｔｚｓに関連する計算式Ｒ＝１／ｅｘｐ（−Ｈ（Ｔｄ＋Ｔｚｓ））により（ここにＨは０．０６９３〜０．１１５５のうちの一つ）算出する手段と、前記計算式中の絶縁紙温度差Ｔｚｓを、前記設置場所温度差Ｔｄの温度幅が８℃（前記基準温度を中心に−４〜＋４℃）で前記運転負荷率Ｕの範囲が４０％（基準負荷率を中心に−２０〜＋２０％）の場合に前記勾配補正係数Ｒの値が０．４〜２．５の範囲内となるような運転負荷率に関する関係式Ｔｚｓ＝Ｆ（Ｕ）によって算出し、算出した絶縁紙温度差Ｔｚｓを前記勾配補正係数Ｒの算出式に代入して勾配補正係数Ｒを算出する手段と、算出した前記勾配補正係数Ｒを前記基準勾配Ｋｃに乗じて実勾配Ｋを算出する手段と、前記実勾配Ｋによって逐次低下する重合度の時間別重合度を算出して記憶部の時間別重合度記憶部に時刻毎に格納する手段と、前記時間別重合度の日毎最終値を記憶部の期日別重合度記憶部に期日毎に格納する手段と、現時刻以前の複数の時刻（例えば現時刻と前日１９時と前日５時と前々日１９時）の時間別重合度算出に用いた複数の１時間当たり重合度低下勾配の平均値として現時刻以後の未来分重合度推移予想勾配を算出する手段と、入力部より入力した試算条件（変圧器の試算用設置場所温度と試算用運転負荷率）により現時刻以後の未来分重合度推移試算勾配を算出する手段と、前記期日別重合度記憶部及び前記時間別重合度記憶部から読み出した被診断変圧器の使用開始から現時刻までの重合度推移と前記現時刻以後の未来分重合度推移予想勾配に沿った重合度予想推移及び前記未来分重合度推移試算勾配に沿った現時刻以後の重合度試算推移を、被診断変圧器の使用開始から数１０年までの長期重合度推移グラフに表示する手段もしくは、前記長期重合度推移グラフと現時点を基点とした数日前後の短期重合度推移グラフとを同時表示または交互表示する手段、を備えたことを特徴とする変圧器劣化状況表示装置。
【手続補正２】
【補正対象書類名】明細書
【補正対象項目名】０００９
【補正方法】変更
【補正の内容】
【０００９】  前記目的を達成するために、請求項１に記載の方法は、日本国内で使用されている変圧器は国内規格（ＪＥＣ−２２００、ＪＩＳＣ４３０４）に準拠して設計・製造されるものであり、使用する絶縁紙の材質や運転負荷率に対する変圧器の温度上昇値がほぼ同じとみなされることに着目し、日本国内で使用される変圧器の重合度経時低下経緯が日本国内で公表されている重合度経時低下グラフ群の最小勾配経路と最大勾配経路の範囲内を推移するとみなせるとの見地を基に、変圧器が最良の運転条件（変圧器設置場所の温度が日本国内の低気温地域の年間平均気温で変圧器の運転負荷率が日本国内における運転負荷率分布の最低負荷率）にて連続運転されるとした変圧器の重合度が前記重合度経時低下グラフ群中の最小勾配直線に沿って低下し、変圧器が最悪の運転条件（変圧器設置場所の温度が日本国内の高気温地域の年間平均気温で変圧器の運転負荷率が日本国内における運転負荷率分布の最高負荷率）にて連続運転されるとした変圧器の重合度が前記重合度経時低下グラフ群中の最大勾配直線に沿って低下し、変圧器が前記最良と最悪の中間の運転条件（変圧器設置場所の温度が前記低気温地域の年間平均気温と前記高気温地域の年間平均気温の中間の温度（以下基準温度Ｔｃ）で、運転負荷率が前記運転負荷率分布の平均負荷率（以下基準負荷率Ｕｃ））で連続運転されるとした変圧器の重合度が前記最小勾配経路と最大勾配経路の中間の勾配の直線に沿って低下し、運転条件が変化する被診断変圧器の重合度は、前記最小勾配直線と最大勾配直線の間を推移するとの重合度低下領域を設定し、被診断変圧器設置場所の温度Ｔａを取得する手段と、前記設置場所温度Ｔａと前記基準温度Ｔｃ（１１〜１３℃のうちのいずれか一つ）との設置場所温度差Ｔｄを算出する手段と、被診断変圧器の運転電流Ｉを取得する手段と、前記運転電流Ｉより運転負荷率Ｕを算出する手段と、被診断変圧器の運転負荷率Ｕにおける絶縁紙の上昇温度Ｔｚと前記基準負荷率Ｕｃ（３５〜４０％のうちのいずれか一つ）による絶縁紙の上昇温度Ｔｚｃとの絶縁紙温度差Ｔｚｓを算出する手段と、基準使用条件（変圧器設置場所の温度が前記基準温度Ｔｃ、運転負荷率が前記基準負荷率Ｕｃ）で一定して連続運転されるとした変圧器の重合度が、変圧器運転開始時の重合度（８００〜１０００のうちのいずれか一つ）から２０／年〜３０／年のうちのいずれか一つの勾配で低下するとした前記中間の運転条件における重合度低下直線の勾配を基準勾配Ｋｃとし、被診断変圧器においては、重合度が前記基準勾配Ｋｃに勾配補正係数Ｒを乗じた実勾配Ｋにて低下するとした重合度低下推移決定手段と、前記勾配補正係数Ｒを、前記変圧器設置場所温度差Ｔｄと前記絶縁紙温度差Ｔｚｓに関連する計算式
Ｒ＝１／ｅｘｐ（−Ｈ（Ｔｄ＋Ｔｚｓ））・・・・・（式１）
（ただし、Ｈは０．０６９３〜０．１１５５のうちのいずれか一つ）
により算出する手段と、（式１）中の絶縁紙温度差Ｔｚｓを、前記設置場所温度差Ｔｄの温度幅が８℃（前記基準温度を中心に−４〜＋４℃）で前記運転負荷率Ｕの範囲が４０％（基準負荷率を中心に−２０〜＋２０％）の場合に前記勾配補正係数Ｒの値が０．４〜２．５となるような運転負荷率Ｕに関連する関係式
Ｔｓ＝Ｆ（Ｕ）・・・・・（式２）
によって算出して前記（式１）に代入し前記勾配補正係数Ｒを算出する手段と、算出した前記勾配補正係数Ｒを前記基準勾配Ｋｃに乗じて実勾配Ｋを算出する手段と、前記実勾配Ｋによって逐次低下する重合度の時間別重合度を算出して記憶部の時間別重合度記憶部に時刻毎に格納する手段と、現時刻以前の複数の時刻（例えば現時刻と前日１９時と前日５時と前々日１９時の時間別重合度算出に用いた複数の１時間当たり重合度低下勾配の平均値として現時刻以後の未来分重合度推移予想勾配を算出する手段と、入力部より入力した試算条件（変圧器の試算用設置場所温度と試算用運転負荷率）により現時刻以後の未来分重合度推移試算勾配を算出する手段と、前記期日別重合度記憶部及び前記時間別重合度記憶部から読み出した被診断変圧器の使用開始から現時刻までの重合度推移と前記現時刻以後の未来分重合度推移予想勾配に沿った現時刻以後の予想重合度推移と前記未来分重合度推移試算勾配に沿った現時刻以後の試算重合度推移を、被診断変圧器の使用開始から数１０年までの長期重合度推移グラフに表示する手段もしくは、前記長期重合度推移グラフと現時点を基点とした数日前後の短期重合度推移グラフとを同時表示または交互表示する手段、を備えたことを特徴とする。
【手続補正３】
【補正対象書類名】明細書
【補正対象項目名】００１７
【補正方法】変更
【補正の内容】
【００１７】  図２は、本発明による変圧器劣化状況の長期間表示グラフで、実線２１は被診断変圧器の使用開始時から現時刻までの重合度推移を示しており、現時刻の時間別重合度Ｊｈ２を、
Ｊｈ２＝Ｊｈ１−Δｈ  ・・・・  （式７）
（ただし、Ｊｈ１は現時刻より１時間前の時間別重合度、Δｈは後述の（式８）に示す１時間前から現時刻までの重合度低下分（１時間当たり重合度低下勾配））
Δｈ＝Ｋｃｊ×Ｒ  ・・・・  （式８）
（ただし、Ｋｃｊは後述の（式９）に示す１時間あたりの基準勾配）
Ｋｃｊ＝２５／８７６０＝０．００２８５４  ・・・  （式９）
によって算出し、算出した時間別重合度の日別最終値である期日別重合度の期間代表重合度（例えば各月最終日の期日別重合度や各年最終月最終日の期日別重合度等）による経緯で示している。
【手続補正４】
【補正対象書類名】明細書
【補正対象項目名】００１８
【補正方法】変更
【補正の内容】
【００１８】  破線２２は、現時刻以後の重合度低下予想勾配Ｋｙによる重合度予想推移を示しており、重合度低下予想勾配Ｋｙを複数の時刻における複数の１時間当たり重合度低下勾配の平均とした
Ｋｙ＝（Ｋｒ１＋Ｋｒ２＋Ｋｒ３＋Ｋｒ４）／４  ・・・・  （式１０）
（ただし、Ｋｒ１は現時刻の時間別重合度算出に用いた１時間当たり重合度低下勾配、Ｋｒ２は前日１９時の時間別重合度算出に用いた１時間当たり重合度低下勾配、Ｋｒ３は前日５時の時間別重合度算出に用いた１時間当たり重合度低下勾配、Ｋｒ４は前々日１９時の時間別重合度算出に用いた１時間当たり重合度低下勾配）
としている。
【手続補正５】
【補正対象書類名】明細書
【補正対象項目名】００３２
【補正方法】変更
【補正の内容】
【００３２】符号の説明
Ｔａ・・・被診断変圧器の設置場所温度
Ｔｃ・・・変圧器設置場所基準温度
Ｔｄ・・・変圧器設置場所温度差（被診断変圧器の設置場所温度と変圧器設置場所基準温度との温度差）
Ｔｄｔ・・・試算用変圧器設置場所温度
Ｔｚ・・・運転時の絶縁紙温度
Ｔｚｃ・・・基準負荷率における絶縁紙温度
Ｔｚｓ・・・運転時の絶縁紙温度と基準負荷率における絶縁紙温度との絶縁紙温度差
Ｔｚｓｔ・・・試算条件における絶縁紙温度差
Ｔｒ・・・輻射による絶縁紙受放熱分温度影響分
Ｔｋ・・・強制通風による絶縁紙温度影響分
θ  ・・・１日における輻射影響温度の変動幅
Ｈ  ・・・時刻（１〜２４）
Ｉ  ・・・被診断変圧器の運転電流
Ｕ  ・・・負荷率
Ｕｃ・・・基準負荷率
Ｕｔ・・・試算用負荷率
Ｋ  ・・・重合度低下実勾配
Ｋｃ・・・重合度低下基準勾配
Ｋｃｊ・・・時間当たり重合度低下基準勾配
Ｋｙ・・・重合度低下予想勾配
Ｋｔ・・・重合度低下試算勾配
Ｒ  ・・・勾配補正係数
Ｊｈ２・・・現時刻の重合度
Ｊｈ１・・・現時刻より１時間前の重合度
Δｈ・・・１時間前から現時刻までの重合度低下分（１時間当たり重合度低下勾配）
Ｋｒ１・・・現時刻の１時間当たり重合度低下勾配
Ｋｒ２・・・前日１９時の１時間当たり重合度低下勾配
Ｋｒ３・・・前日５時の１時間当たり重合度低下勾配
Ｋｒ４・・・前々日１９時の１時間当たり重合度低下勾配
１ａ・・・最小勾配重合度低下配直線
１ｂ・・・最大勾配重合度低下直線
１ｃ・・・基準勾配重合度低下直線
１ｄ・・・ＪＥＭ１４６３に示されている寿命レベル重合度
１ｅ・・・ＪＥＭ１４６３に示されている危険レベル重合度
２１・・・現時刻までの重合度低下推移
２１ｙ・・・現時刻直前の短期重合度低下推移
２２・・・現時刻以後の重合度低下予想推移
２２ｔ・・・現時刻以後の重合度低下予想短期推移
２３・・・試算条件における現時刻以後の重合度低下推移
２３ｔ・・・試算条件における現時刻以後の重合度低下短期推移
５０・・・変圧器劣化状況表示装置
５１・・・データ取得部
５２・・・演算処理部
５２Ｕ・・・負荷率演算部
５２ａ・・・時間別重合度演算部
５２ｂ・・・未来分重合度演算部
５３・・・記憶部
５３ａ・・・時間別重合度記憶部
５３ｂ・・・期日別重合度記憶部
５４・・・グラフ作成処理部
５５・・・表示部
５６・・・設定部
５７・・・制御部
【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
被診断変圧器設置場所の温度Ｔａを取得する手段と、前記設置場所温度Ｔａと基準温度Ｔｃ（１１〜１３℃のうちのいずれか一つ）との設置場所温度差Ｔｄを算出する手段と、被診断変圧器の運転電流Ｉを取得する手段と、前記運転電流Ｉより運転負荷率Ｕを算出する手段と、被診断変圧器の運転負荷率Ｕにおける絶縁紙の上昇温度Ｔｚと基準負荷率Ｕｃ（３５〜４０％のうちのいずれか一つ）における絶縁紙の上昇温度Ｔｚｃとの絶縁紙温度差Ｔｚｓを算出する手段と、基準使用条件（変圧器設置場所の温度が前記基準温度Ｔｃ、運転負荷率が前記基準負荷率Ｕｃ）で一定して連続運転されるとした変圧器の絶縁紙の平均重合度（以下重合度と省略表記）が、変圧器運転開始時の重合度（８００〜１０００のうちのいずれか一つ）から２０／年〜３０／年のうちのいずれか一つの勾配で低下する直線の勾配を基準勾配Ｋｃとし、運転条件が変化する被診断変圧器においては、重合度が前記基準勾配Ｋｃに運転条件に関連して算出される勾配補正係数Ｒを乗じた実勾配Ｋにて低下するとした重合度推移決定手段と、前記勾配補正係数Ｒを、前記変圧器設置場所温度差Ｔｄと前記絶縁紙温度差Ｔｚｓに関連する計算式Ｒ＝１／ｅｘｐ（−Ｈ（Ｔｄ＋Ｔｚｓ））により（ここにＨは０．０６９３（１／℃）〜０．１１５５（１／℃）のうちの一つ）算出する手段と、前記計算式中の絶縁紙温度差Ｔｚｓを、前記設置場所温度差Ｔｄの温度幅が８℃（前記基準温度を中心に−４〜＋４℃）で前記運転負荷率Ｕの範囲が４０％（基準負荷率を中心に−２０〜＋２０％）の場合に前記勾配補正係数Ｒの値が０．４〜２．５の範囲内となるような運転負荷率Ｕに関する回帰式によって算出し、算出した絶縁紙温度差Ｔｚｓを前記勾配補正係数Ｒの算出式に代入して勾配補正係数Ｒを算出する手段と、算出した前記勾配補正係数Ｒを前記基準勾配Ｋｃに乗じて実勾配Ｋを算出する手段と、前記実勾配Ｋによって逐次低下する重合度の時間別重合度を算出して記憶部の時間別重合度記憶部に時刻毎に格納する手段と、前記時間別重合度の日毎最終値を記憶部の期日別重合度記憶部に期日毎に格納する手段と、現時刻以前の複数の時刻（例えば現時刻と前日１９時と前日５時と前々日１９時）の時間別重合度算出に用いた複数の１時間当たり重合度低下勾配の平均値として現時刻以後の未来分重合度推移予想勾配を算出する手段と、入力部より入力した試算条件（変圧器の試算用設置場所温度と試算用運転負荷率）により現時刻以後の未来分重合度推移試算勾配を算出する手段と、前記期日別重合度記憶部及び前記時間別重合度記憶部から読み出した被診断変圧器の使用開始から現時刻までの重合度推移と前記現時刻以後の未来分重合度推移予想勾配に沿った重合度予想推移及び前記未来分重合度推移試算勾配に沿った現時刻以後の重合度試算推移を、被診断変圧器の使用開始から数１０年までの長期重合度推移グラフに表示する手段もしくは、前記長期重合度推移グラフと現時点を基点とした数日前後の短期重合度推移グラフとを同時表示または交互表示する手段、を備えたことを特徴とする変圧器劣化状況表示装置。
【手続補正２】
【補正対象書類名】明細書
【補正対象項目名】０００９
【補正方法】変更
【補正の内容】
【０００９】  前記目的を達成するために、請求項１に記載の方法は、日本国内で使用されている変圧器は国内規格（ＪＥＣ−２２００、ＪＩＳＣ４３０４）に準拠して設計・製造されるものであり、使用する絶縁紙の材質や運転負荷率に対する変圧器の温度上昇値がほぼ同じとみなされることに着目し、日本国内で使用される変圧器の重合度経時低下経緯が日本国内で公表されている重合度経時低下グラフ群の最小勾配経路と最大勾配経路の範囲内を推移するとみなせるとの見地を基に、変圧器が最良の運転条件（変圧器設置場所の温度が日本国内の低気温地域の年間平均気温で変圧器の運転負荷率が日本国内における運転負荷率分布の最低負荷率）にて連続運転されるとした変圧器の重合度が前記重合度経時低下グラフ群中の最小勾配直線に沿って低下し、変圧器が最悪の運転条件（変圧器設置場所の温度が日本国内の高気温地域の年間平均気温で変圧器の運転負荷率が日本国内における運転負荷率分布の最高負荷率）にて連続運転されるとした変圧器の重合度が前記重合度経時低下グラフ群中の最大勾配直線に沿って低下し、変圧器が前記最良と最悪の中間の運転条件（変圧器設置場所の温度が前記低気温地域の年間平均気温と前記高気温地域の年間平均気温の中間の温度（以下基準温度Ｔｃ）で、運転負荷率が前記運転負荷率分布の平均負荷率（以下基準負荷率Ｕｃ））で連続運転されるとした変圧器の重合度が前記最小勾配経路と最大勾配経路の中間の勾配の直線に沿って低下し、運転条件が変化する被診断変圧器の重合度は、前記最小勾配直線と最大勾配直線の間を推移するとの重合度低下領域を設定し、被診断変圧器設置場所の温度Ｔａを取得する手段と、前記設置場所温度Ｔａと前記基準温度Ｔｃ（１１〜１３℃のうちのいずれか一つ）との設置場所温度差Ｔｄを算出する手段と、被診断変圧器の運転電流Ｉを取得する手段と、前記運転電流Ｉより運転負荷率Ｕを算出する手段と、被診断変圧器の運転負荷率Ｕにおける絶縁紙の上昇温度Ｔｚと前記基準負荷率Ｕｃ（３５〜４０％のうちのいずれか一つ）による絶縁紙の上昇温度Ｔｚｃとの絶縁紙温度差Ｔｚｓを算出する手段と、基準使用条件（変圧器設置場所の温度が前記基準温度Ｔｃ、運転負荷率が前記基準負荷率Ｕｃ）で一定して連続運転されるとした変圧器の重合度が、変圧器運転開始時の重合度（８００〜１０００のうちのいずれか一つ）から２０／年〜３０／年のうちのいずれか一つの勾配で低下するとした前記中間の運転条件における重合度低下直線の勾配を基準勾配Ｋｃとし、被診断変圧器においては、重合度が前記基準勾配Ｋｃに勾配補正係数Ｒを乗じた実勾配Ｋにて低下するとした重合度低下推移決定手段と、前記勾配補正係数Ｒを、前記変圧器設置場所温度差Ｔｄと前記絶縁紙温度差Ｔｚｓに関連する計算式
Ｒ＝１／ｅｘｐ（−Ｈ（Ｔｄ＋Ｔｚｓ））・・・・・（式１）
（ただし、Ｈは０．０６９３（１／℃）〜０．１１５５（１／℃）のうちのいずれか一つ）により算出する手段と、（式１）中の絶縁紙温度差Ｔｚｓを、前記設置場所温度差Ｔｄの温度幅が８℃（前記基準温度を中心に−４〜＋４℃）で前記運転負荷率Ｕの範囲が４０％（基準負荷率を中心に−２０〜＋２０％）の場合に前記勾配補正係数Ｒの値が０．４〜２．５となるような運転負荷率Ｕに関する回帰式によって算出し、算出した絶縁紙温度差Ｔｚｓを前記勾配補正係数Ｒの算出式に代入して勾配補正係数Ｒを算出する手段と、算出した前記勾配補正係数を前記基準勾配Ｋｃ算出した前記勾配補正係数Ｒを前記基準勾配Ｋｃに乗じて実勾配Ｋを算出する手段と、前記実勾配Ｋによって逐次低下する重合度の時間別重合度を算出して記憶部の時間別重合度記憶部に時刻毎に格納する手段と、前記時間別重合度の日毎最終値を記憶部の期日別重合度記憶部に期日毎に格納擦る手段と、現時刻以前の複数の時刻（例えば現時刻と前日１９時と前日５時と前々日１９時の時間別重合度算出に用いた複数の１時間当たり重合度低下勾配の平均値として現時刻以後の未来分重合度推移予想勾配を算出する手段と、入力部より入力した試算条件（変圧器の試算用設置場所温度と試算用運転負荷率）により現時刻以後の未来分重合度推移試算勾配を算出する手段と、前記期日別重合度記憶部及び前記時間別重合度記憶部から読み出した被診断変圧器の使用開始から現時刻までの重合度推移と前記現時刻以後の未来分重合度推移予想勾配に沿った現時刻以後の予想重合度推移と前記未来分重合度推移試算勾配に沿った現時刻以後の試算重合度推移を、被診断変圧器の使用開始から数１０年までの長期重合度推移グラフに表示する手段もしくは、前記長期重合度推移グラフと現時点を基点とした数日前後の短期重合度推移グラフとを同時表示または交互表示する手段、を備えたことを特徴とする。
【手続補正３】
【補正対象書類名】明細書
【補正対象項目名】００１６
【補正方法】変更
【補正の内容】
【００１６】  前記（式１）〜（式３）の絶縁紙温度差Ｔｚｓは、以下の（式４）や（式５）に示す回帰式等が、前記変圧器設置場所の温度Ｔａと変圧器運転負荷率Ｕの採択範囲において前記勾配補正係数Ｒの範囲が０．４〜２．５となる条件を満たす例となる。
Ｔｚｓ＝Ａ（Ｕｘ−Ｕｃｘ）・・・・（式４）
（ただし、Ａは２０（℃）〜５０（℃）のうちのいずれかで、ｘは１〜３のうちのいずれか）
Ｔｚｓ＝Ｃ（α＋Ｕ２（１−α））−Ｄ・Ｕｙ−Ｃ（α＋Ｕｃ２（１−α））−  Ｄ・Ｕｃｙ・・・・（式５）
（ただし、Ｃは３０（℃）〜７０（℃）のうちのいずれかで、αはケイ素鋼板鉄心変圧器の場合０．２５、アモルファス鉄心変圧器の場合０．０５で、Ｄはケイ素鋼板鉄心変圧器の場合１０（℃）〜３０（℃）のうちのいずれかで、アモルファス鉄心変圧器の場合３０（℃）〜７０（℃）のうちのいずれかで、ｙ  は２〜４）
実施例にあっては、勾配補正係数Ｒの範囲が０．５〜２になる
Ｔｚｓ＝２３（Ｕ１．２３−Ｕｃ１，２３）・・・・（式６）
を採択している。
【手続補正４】
【補正対象書類名】明細書
【補正対象項目名】０００３
【補正方法】変更
【補正の内容】
【０００３】  絶縁紙劣化状況を調べる手段として、変圧器停電時に絶縁紙の一部を取り出して重合度を測定する公知の方法や、運転状態のままで重合度を推定する下記文献１及び文献２等の方法がとられている。
【特許文献１】特許第４３２３３９６号
【特許文献２】特許第５３８７８７７号